(57)【要約】【課題】低音域での遮音性能を改善することができ、しかも、それを、簡素な構造で、壁厚を大きくすることなく実現することができる中空二重遮音壁の構造を提供する。【解決手段】面板１，１間の中空層２内に備えられた面板取付け用の桟材３…（壁フレームの桟材であってもよい。）が、低域共振透過低減のための特定共鳴周波数を有するスリット型などの吸音器５，６を形成している。【選択図】      図１
2006177112.tif 000002
【特許請求の範囲】
【請求項１】
面板間の中空層内に備えられた面板取付け用の桟材が、低域共振透過低減のための特定共鳴周波数を有する吸音器を形成していることを特徴とする中空二重遮音壁の構造。
【請求項２】
面板間の中空層内に備えられた壁フレームの桟材が、低域共振透過低減のための特定共鳴周波数を有する吸音器を形成していることを特徴とする中空二重遮音壁の構造。
【請求項３】
前記吸音器がスリット型の吸音器である請求項１又は２に記載の中空二重遮音壁の構造。
【発明の詳細な説明】
【技術分野】
【０００１】
本発明は、例えば界壁や間仕切り壁などに用いられる中空二重遮音壁の構造に関する。
【背景技術】
【０００２】
石膏ボード等の面板間の中空層にグラスウール等の多孔性吸音材を配置して形成された中空二重遮音壁は、隣り合う室間での音の伝搬を極力小さくすることができるものとして従来より提供されているが、中空二重遮音壁は、中高音域では遮音性能に優れるが、低音域では低域共振透過を起こして遮音性能が低下してしまうという問題がある。
【０００３】
そこで、低音域の音の共振透過を低減する目的で、中空層内に共鳴管を設置したり、板状あるいは膜状の振動体を設置することが提案されている。
【特許文献１】特開２００１−３４８２号公報
【発明の開示】
【発明が解決しようとする課題】
【０００４】
しかしながら、中空層内への共鳴管や振動体の設置は、中空二重遮音壁の構造を複雑にしてしまうという問題がある。また、中空層の層厚を大きくすることも考えられるが、それでは壁厚が大きくなってしまう。
【０００５】
本発明は、上記のような問題点に鑑み、低音域での遮音性能を改善することができ、しかも、それを、簡素な構造で、壁厚を大きくすることなく実現することができる中空二重遮音壁の構造を提供することを課題とする。
【課題を解決するための手段】
【０００６】
上記の課題は、面板間の中空層内に備えられた面板取付け用の桟材が、低域共振透過低減のための特定共鳴周波数を有する吸音器を形成していることを特徴とする中空二重遮音壁の構造によって解決される。
【０００７】
この構造では、面板間の中空層内に備えられた吸音器によって、低音域の音の共振透過が低減され、低音域での遮音性能を改善することができる。しかも、この吸音器は、面板間の中空層内に備えられた面板取付け用の桟材によって形成され、取付け用の桟材が吸音器の一部又は全部を兼ねる構成となされているので、吸音器専用品を組み込む場合に比べて、低音域での遮音性能の改善を、簡素な構造で、壁厚も大きくすることなく実現することができる。
【０００８】
なお、面板取付け用の桟材による吸音器の形成は、桟材そのものが吸音器としての形態を備えたものであってもよいし、複数の桟材の組み合わせで吸音器としての形態が形成されているものであってもよい。
【０００９】
また、上記の課題は、面板間の中空層内に備えられた壁フレームの桟材が、低域共振透過低減のための特定共鳴周波数を有する吸音器を形成していることを特徴とする中空二重遮音壁の構造によっても解決される。即ち、上記の場合と同様に、壁フレームの桟材が吸音器の一部又は全部を兼ねる構成とすることにより、低音域での遮音性能の改善を、簡素な構造で、壁厚も大きくすることなく実現することができる。
【００１０】
更に、上記の各中空二重遮音壁の構造において、吸音器がスリット型の吸音器である場合は、例えば桟材に孔明け加工して吸音器を形成するような場合に比べて、桟材の横断面形態を利用して吸音器を容易に形成することができる。
【発明の効果】
【００１１】
本発明の中空二重遮音壁の構造は、以上のとおりのものであるから、低音域での遮音性能を改善することができ、しかも、それを、簡素な構造で、壁厚を大きくすることなく実現することができる。
【発明を実施するための最良の形態】
【００１２】
図１（イ）（ロ）に示す第１実施形態の中空二重遮音壁において、１，１は石膏ボードなどからなる面板であり、面板１，１間に中空層２が備えられている。そして、中空層２内において、一方の面板１に沿うようにして、面板取付け用の複数本の縦桟材３…が横方向に所定の間隔おきに配置され、これら縦桟材３…に対して上記の一方の面板１がビスなどによって取り付けられている。また同様に、中空層２内には、もう一方の面板１に沿うようにして、面板取付け用の複数本の縦桟材３…が横方向に所定の間隔おきに配置され、これら縦桟材３…に対して上記もう一方の面板１がビスなどによって取り付けられている。更に、一方の面板１に沿う縦桟材３…の群と、もう一方の面板１に沿う縦桟材３…の群とは、壁厚方向において所定の間隔をおき、これら縦桟材の群３…，３…間にグラスウール等の多孔性吸音材４が横方向に連続状に設置され、中空二重遮音壁を構成している。
【００１３】
そして、上記の各縦桟材３…は、それらの長手方向において横断面形状を同じくする軽鉄材等の金属材からなっていて、図１（ハ）に示すように、内部の拡大空洞部５と、頸部６とを備え、頸部６を内向きにして、それ自体で、低域共振透過低減のための特定共鳴周波数を有するスリット型の吸音器９を形成している。
【００１４】
上記の中空二重遮音壁では、面板１，１間の中空層に備えられた面板取付け用の縦桟材３…，３…が吸音器として働き、低音域での遮音性能が改善される。しかも、これら吸音器９は、面板取付け用の縦桟材３…で形成され、これら縦桟材３…が吸音器を兼ねる構造となっているので、低音域での遮音性能の改善を、専用の吸音器を用いることなく簡素な構造で、壁厚も大きくすることなく実現することができる。加えて、縦桟材３の横断面形態を利用してスリット型の吸音器を形成しているので、吸音器を容易に形成することができる。
【００１５】
図２（イ）（ロ）に示す第２実施形態の中空二重遮音壁は、面板取付け用の縦桟材３…，３…が、横断面ハット型をして、図２（ハ）に示すように、かぶり部３ａを面板取付け部とすると共に、両つば部３ｂ，３ｂの先端に立ち上がり３ｃ，３ｃが備えられ、面板１，１に沿う方向において隣り合う縦桟材３，３間に、各縦桟材３，３のかぶり部３ａ，３ａと面板１とで囲まれた拡大空洞部５と、各桟材３，３の立ち上がり部３ｃ，３ｃにより両側から挟まれた頸部６とが形成され、低域共振透過低減のための特定共鳴周波数を有するスリット型の吸音器９が形成されている。
【００１６】
この中空二重遮音壁においても、隣り合う面板取付け用の縦桟材３，３間にこれら縦桟材３，３により形成された吸音器９によって、低音域での遮音性能が改善される。しかも、これら吸音器９は、面板取付け用の縦桟材３…で形成され、これら縦桟材３…が吸音器を兼ねる構造となっているので、低音域での遮音性能の改善を、専用の吸音器を用いることなく簡素な構造で、壁厚も大きくすることなく実現することができる。
【００１７】
図３（イ）（ロ）に示す第３実施形態の中空二重遮音壁は、面板１，１間の中空層２内に、壁フレームの横桟材７，７（面板を取り付けているものであるか否かを問わない。）が、両面板１，１から間隔をおくようにして、上下対で隣り合わせ状態に備えられ、各横桟材７は、溝形材からなって、溝底背面側を向き合わせるようにして備えられ、横桟材７，７間を頸部６とし、頸部６の両側に面板１と破線で示すような仮想的な隔壁による拡大空洞部５，５とするスリット型の吸音器９が形成されている。
【００１８】
この中空二重遮音壁においても、中空層２内に横桟材７，７によって形成された吸音器９によって、低音域での遮音性能が改善される。しかも、吸音器９は、壁フレームの横桟材７，７で形成され、これら横桟材７，７が吸音器を兼ねる構造となっているので、低音域での遮音性能の改善を、専用の吸音器を用いることなく簡素な構造で、壁厚も大きくすることなく実現することができる。
【００１９】
以上に、本発明の実施形態を示したが、本発明はこれに限られるものではなく、発明思想を逸脱しない範囲で各種の変更が可能である。例えば、面板１は、石膏ボードに限らないし、一枚貼りであるか二枚等の複数枚貼りであるかを問わない。また、中空層内の多孔性吸音材４は、グラスウールに限らず、ロックウール、フェルト等であってもよいし、多孔性吸音材は中空層２内から省略されていてもよい。また、上記の実施形態では、中空部内に形成した吸音器が低音域の遮音性能を双方向において改善する場合を示しているが、一方向において改善するように構成されていてもよい。また、上記の実施形態では、桟材の横断面形態を利用してスリット型の吸音器を形成した場合を示しているが、孔明け加工をした有孔桟材で低域共振透過低減のための特定共鳴周波数を有する吸音器を形成するようにしてもよい。また、吸音器を形成する桟材は、縦向きや横向きに限らず、斜め向きに備えられたものであってもよい。
【図面の簡単な説明】
【００２０】
【図１】図（イ）は第１実施形態の中空二重遮音壁を示す断面平面図、図（ロ）は同壁の断面斜視図、図（ハ）は面板取付け用の縦桟材の横断面図である。
【図２】図（イ）は第２実施形態の中空二重遮音壁を示す断面平面図、図（ロ）は同壁の断面斜視図、図（ハ）は面板取付け用の縦桟材の横断面図である。
【図３】図（イ）は第３実施形態の中空二重遮音壁を示す断面平面図、図（ロ）は同壁の断面斜視図である。
【符号の説明】
【００２１】
１…面板
２…中空層
３…面板取付け用の桟材
５…拡大空洞部
６…頸部
７…壁フレームの桟材
９…吸音器
【図１】
2006177112.tif 000003
【図２】
2006177112.tif 000004
【図３】
2006177112.tif 000005